(57)【要約】【課題】平行に延びる複数の導体パターンを樹脂フィルムで挟んで固定して成る電子部品接続装置であって、その電子部品接続装置の各端部を別々の電子部品のコネクタに差し込んで、両電子部品を電気的に接続する電子部品接続装置に大きな外力が加えられることを阻止する。【解決手段】互いに隣り合う導体パターン２の間の樹脂フィルム部分に、該導体パターン２に沿って延びるスリット状の貫通孔１１が形成され、該貫通孔１１の形成された電子部品接続装置領域Ａが、その幅方向Ｗに伸縮できるように蛇腹状に形成されている。【選択図】図１
2009021185.tif 000002
【特許請求の範囲】
【請求項１】
互いにほぼ平行に延びる複数の導体パターンが絶縁性の樹脂フィルムに挟まれた状態で固定され、該導体パターンの長手方向各端部は露出していて、その各端部を別々の電子部品のコネクタにそれぞれ差し込むことにより、前記導体パターンを介して、両電子部品を電気的に接続する可撓性を備えた電子部品接続装置において、
互いに隣り合う導体パターンの間の樹脂フィルム部分に該導体パターンに沿って延びるスリット状の貫通孔が形成され、該貫通孔の形成された電子部品接続装置領域が、その幅方向に伸縮できるように蛇腹状に形成されていることを特徴とする電子部品接続装置。
【発明の詳細な説明】
【技術分野】
【０００１】
本発明は、複数の導体パターンを樹脂フィルムで挟んだ状態に固定して成る電子部品接続装置に関するものである。
【背景技術】
【０００２】
上記形式の電子部品接続装置は従来より周知であり、かかる接続装置は、一般にＦＰＣと略称されている。図６は、従来のこの種の電子部品接続装置の一例を示す斜視図であり、図７は図６のVII−VII線断面図である。これらの図に示した電子部品接続装置１Ａにおいては、互いにほぼ平行に延びる複数の導体パターン２Ａが絶縁性の樹脂フィルム３Ａ，４Ａに挟まれた状態で固定されている。これらの導体パターン２Ａの長手方向各端部５Ａ，６Ａは外部に露出していて、図８に示すように、その各端部を別々の電子部品７Ａ，８Ａのコネクタ９Ａ，１０Ａに差し込むことにより、その導体パターン２Ａを介して、両電子部品７Ａ，８Ａを電気的に接続することができる。かかる電子部品接続装置１Ａは、可撓性を有している。なお、図７は、樹脂フィルム３Ａ，４Ａと導体パターン２Ａの厚みを誇張して大きく示した模式断面図である。
【０００３】
従来の電子部品接続装置１Ａによっても、図８に示したように、電子部品７Ａ，８Ａが直線状に配列されているときは支障なくその電子部品同士を電気的に接続することができる。ところが、例えば図９に示したように、両電子部品７Ａ，８Ａが直交する向きに配置されているときは、電子部品接続装置１Ａを図９に示すように折り曲げる必要がある。電子部品接続装置１Ａは可撓性を有しているので、その電子部品接続装置１Ａを図９に示したように折り曲げることは可能であるが、このように電子部品接続装置１Ａを強く折り曲げてしまうと、各コネクタ９Ａ，１０Ａに差し込まれた電子部品接続装置１Ａの端部に大きな外力が加えられるので、その端部がコネクタ９Ａ，１０Ａから外れてしまうことがある。また、場合によっては、電子部品接続装置１Ａの折り曲げた部分で導体パターン２Ａが破断するおそれもある。さらに、電子部品接続装置１Ａを折り曲げると、その折り曲げ部を境とした一方の電子部品接続装置部分１２Ａの表裏が反転するので、電子部品接続装置１Ａの端部を誤ってコネクタ９Ａに差し込んでしまうおそれもある。
【０００４】
【特許文献１】特開２０００−１３３０５１号公報
【発明の開示】
【発明が解決しようとする課題】
【０００５】
本発明の目的は、上記従来の欠点を除去することのできる電子部品接続装置を提供することにある。
【課題を解決するための手段】
【０００６】
本発明は、互いにほぼ平行に延びる複数の導体パターンが絶縁性の樹脂フィルムに挟まれた状態で固定され、該導体パターンの長手方向各端部は露出していて、その各端部を別々の電子部品のコネクタにそれぞれ差し込むことにより、前記導体パターンを介して、両電子部品を電気的に接続する可撓性を備えた電子部品接続装置において、互いに隣り合う導体パターンの間の樹脂フィルム部分に該導体パターンに沿って延びるスリット状の貫通孔が形成され、該貫通孔の形成された電子部品接続装置領域が、その幅方向に伸縮できるように蛇腹状に形成されていることを特徴とする。
【発明の効果】
【０００７】
本発明によれば、電子部品接続装置によって電気的に接続された両電子部品が直交する向きに配置されていても、電子部品接続装置を折り曲げる必要がないため、電子部品接続装置の端部がコネクタから外れたり、導体パターンが破断したり、電子部品接続装置の端部を誤ってコネクタに差し込んでしまうことはない。しかも、スリット状の貫通孔が形成された電子部品接続装置の部分の柔軟性が高まるので、楽に電子部品接続装置の各端部を各コネクタに差し込むことができる。
【発明を実施するための最良の形態】
【０００８】
以下、本発明の実施形態例を図面に従って詳細に説明する。
【０００９】
図１は本発明に係る電子部品接続装置１の一例を示す斜視図であり、図２は図１のII−II線断面図である。これらの図に示すように、本例の電子部品接続装置１の基本構成は従来の電子部品接続装置と変りはない。すなわち、この電子部品接続装置１も、互いにほぼ平行に延びる複数の線状の導体パターン２を有しており、その各導体パターン２は、例えば、絶縁性の樹脂フィルム３にプリントされた銅箔により構成されている。この樹脂フィルム３と導体パターン２の上に他の絶縁性の樹脂フィルム４が積層され、複数の導体パターン２が絶縁性の樹脂フィルム３，４に挟まれた状態で固定されている。また、複数の導体パターン２の長手方向各端部５，６上には樹脂フィルム４が積層されておらず、その各端部５，６は外部に露出している。このように、本例の電子部品接続装置１は、薄い樹脂フィルム３，４と薄い導体パターン２により構成されているので、電子部品接続装置１の全体が可撓性を有している。なお、図２も、図７と同様に樹脂フィルム３，４と導体パターン２の厚みを誇張して大きく示した模式断面図である。
【００１０】
上述の電子部品接続装置１の長手方向各端部を図４に示したように、別々の電子部品７，８にコネクタ９，１０に差し込む。これにより、導体パターン２の露出している長手方向各端部５，６が別々の電子部品７，８のコネクタ９，１０にそれぞれ差し込まれる。このようにして、複数の導体パターン２を介して、両電子部品７，８が電気的に接続される。電子部品７，８としては、例えばプリント基板が挙げられる。
【００１１】
上述した構成は、従来の電子部品接続装置と変りはない。従来の電子部品接続装置と異なるところは、図１及び図３に示したように、互いに隣り合う導体パターン２の間の樹脂フィルム部分に、その導体パターン２に沿って延びるスリット状の貫通孔１１が形成され、しかも、少なくとも、その貫通孔１１の形成された電子部品接続装置１の領域Ａが、該電子部品接続装置１の幅方向Ｗに伸縮できるように、蛇腹状に形成されている点である。図３に示すように、貫通孔１１が形成された電子部品接続装置１の部分の横断面が、ハの字状を連続した形態に形成されているのである。図示した例では、電子部品接続装置１の長手方向中央領域Ａに貫通孔１１が形成されている。なお、図３も樹脂フィルム３，４と導体パターン２の厚みを誇張して示した模式断面図である。
【００１２】
上記構成によれば、貫通孔１１の形成された電子部品接続装置領域Ａは、その幅方向Ｗに柔軟に伸縮することができるので、図４に示したように、電子部品接続装置１によって電気的に接続された両電子部品７，８が互いに直交する向きに配置されていても、図４に明示するように、電子部品接続装置１の貫通孔１１の形成された領域Ａがその幅方向に柔軟に圧縮変形する。このため、各コネクタ９，１０に差し込まれた電子部品接続装置１の各端部に従来のような大きな外力が加えられることはなく、その各端部がコネクタ９，１０から外れることを防止することができる。
【００１３】
しかも、電子部品接続装置１が従来のように折り曲げられるのではなく、幅方向に圧縮変形するので、各導体パターン２に生じる応力を小さく留めることができ、その導体パターン２が破断することを防止することができる。
【００１４】
さらに、電子部品接続装置１の表裏を反転させる必要はないので、電子部品接続装置１の端部を誤ってコネクタ９，１０に差し込んでしまうこともない。
【００１５】
また、貫通孔１１を形成すると共に、その貫通孔１１の形成された領域Ａを蛇腹状に形成することによって、電子部品接続装置１の柔軟性が増すので、楽に電子部品接続装置１の各端部を各コネクタ９，１０に差し込むことができる。また、スリット状の貫通孔１１の長さを適宜定めることによって、図４に示した電子部品接続装置１の曲げ半径Ｒを調整することができる。
【００１６】
さらに、図５に示したように、両電子部品７，８が位置をずらして互いに対向して配置されているような場合には、電子部品接続装置１の２個所の領域Ａ，Ｂに、貫通孔１１を形成すると共に、その領域Ａ，Ｂを蛇腹状に形成すれば、従来の欠点を伴うことなく、両電子部品７，８を電気的に接続することができる。
【図面の簡単な説明】
【００１７】
【図１】本発明に係る電子部品接続装置の一例を示す斜視図である。
【図２】図１のII−II線断面図である。
【図３】図１のIII−III線拡大断面図である。
【図４】図１に示した電子部品接続装置によって、両電子部品を電気的に接続した状態を示す斜視図である。
【図５】図４とは異なる態様で、両電子部品を電気的に接続したときの様子を示す平面図である。
【図６】従来の電子部品接続装置の一例を示す斜視図である。
【図７】図６のVII−VII線断面図である。
【図８】図６に示した従来の電子部品接続装置によって両電子部品を電気的に接続した様子を示す斜視図である。
【図９】図６に示した従来の電子部品接続装置によって両電子部品を電気的に接続した他の例を示す斜視図である。
【符号の説明】
【００１８】
１  電子部品接続装置
２  導体パターン
３，４  樹脂フィルム
５，６  端部
７，８  電子部品
９，１０  コネクタ
１１  貫通孔
Ａ，Ｂ  領域
Ｗ  幅方向
【図１】
2009021185.tif 000003
【図２】
2009021185.tif 000004
【図３】
2009021185.tif 000005
【図４】
2009021185.tif 000006
【図５】
2009021185.tif 000007
【図６】
2009021185.tif 000008
【図７】
2009021185.tif 000009
【図８】
2009021185.tif 000010
【図９】
2009021185.tif 000011